(57)【要約】【課題】  本発明は蓋に蒸気抜き部が設けられていても容器本体内への異物の侵入を確実に阻止することができるとともに、電子レンジで加熱すると、自動的に蒸気抜き部からの蒸気を外部へ確実に排出することができる、取り扱いが容易で、蒸気抜き部を確実に作動させることができる電子レンジ用食品容器を得るにある。【解決手段】  電子レンジで加熱が可能な食品を収納することができる容器本体と、この容器本体の開口部に嵌合固定させて覆うことができ、かつ電子レンジで加熱した時に、該容器本体内で発生する蒸気を抜くことができる蒸気抜き部が設けられた蓋とからなる電子レンジ用食品容器において、蓋の蒸気抜き部を密封状態で上面あるいは内側面より覆うように貼着され、かつ電子レンジで加熱すると、該蒸気抜き部を開放するように変形する熱収縮フィルムを使用した開閉ラベルを用いて電子レンジ用食品容器を構成している。【選択図】  図５
2014091543.tif 000002
【特許請求の範囲】
【請求項１】
電子レンジで加熱が可能な食品を収納することができる容器本体と、この容器本体の開口部に嵌合固定させて覆うことができ、かつ電子レンジで加熱した時に、該容器本体内で発生する蒸気を抜くことができる蒸気抜き部が設けられた蓋とからなる電子レンジ用食品容器において、前記蓋の蒸気抜き部を密封状態で上面あるいは内側面より覆うように貼着され、かつ電子レンジで加熱すると、該蒸気抜き部を開放するように変形する熱収縮フィルムを使用した開閉ラベルを用いたことを特徴とする電子レンジ用食品容器。
【請求項２】
開閉ラベルは蓋の蒸気抜き部を覆うように貼着できる非熱収縮フィルムと、この非熱収縮フィルムの上面に接着固定された熱収縮フィルムとで構成されていることを特徴とする請求項１記載の電子レンジ用食品容器。
【請求項３】
開閉ラベルは蓋の蒸気抜き部を覆うことができる熱収縮フィルムを用いるとともに、該熱収縮フィルムの一端部側より他端部側が弱い接着力の接着剤で蓋に取付けられていることを特徴とする請求項１記載の電子レンジ用食品容器。
【請求項４】
蒸気抜き部は蓋の上面に形成した凹部内に形成され、該凹部の開口部を覆うように開閉ラベルが貼着されていることを特徴とする請求項１、２、３のいずれかに記載の電子レンジ用食品容器。
【発明の詳細な説明】
【技術分野】
【０００１】
本発明はスーパー、コンビニエンスストアー等で、電子レンジで加熱することができる弁当、そば、惣菜等を包装する電子レンジ用食品容器に関する。
【背景技術】
【０００２】
従来、スーパー、コンビニエンスストアー等で販売される弁当等の食品容器の蓋には、電子レンジで加熱した時に発生する蒸気を抜くため、Ｕ字状の切り欠きの弁を形成し、該弁より異物が侵入するのを防止するために両端部が貼着された弁シールを設けていた。
このため、弁シールによってＵ字状の切り欠き弁の開放が十分でなくなり、蒸気が抜けずらくなってしまうという欠点があった。
【先行技術文献】
【特許文献】
【０００３】
【特許文献１】特開２００９−２８３２５号公報
【発明の概要】
【発明が解決しようとする課題】
【０００４】
本発明は以上のような従来の欠点に鑑み、蓋に蒸気抜き部が設けられていても容器本体内への異物の侵入を確実に阻止することができるとともに、電子レンジで加熱すると、自動的に蒸気抜き部からの蒸気を外部へ確実に排出することができる、取り扱いが容易で、蒸気抜き部を確実に作動させることができる電子レンジ用食品容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は電子レンジで加熱が可能な食品を収納することができる容器本体と、この容器本体の開口部に嵌合固定させて覆うことができ、かつ電子レンジで加熱した時に、該容器本体内で発生する蒸気を抜くことができる蒸気抜き部が設けられた蓋とからなる電子レンジ用食品容器において、前記蓋の蒸気抜き部を密封状態で上面あるいは内側面より覆うように貼着され、かつ電子レンジで加熱すると、該蒸気抜き部を開放するように変形する熱収縮フィルムを使用した開閉ラベルを用いて電子レンジ用食品容器を構成している。
【発明の効果】
【０００７】
以上の説明から明らかなように、本発明にあっては次に列挙する効果が得られる。
（１）請求項１により、蓋の蒸気抜き部を開閉ラベルで覆うことができる。
したがって、蓋の蒸気抜き部より異物の侵入を確実に阻止することができ、安全に食することができる。
（２）前記（１）により、電子レンジで加熱すると開閉ラベルも加熱され、蒸気抜き部を開放するように変形させることができる。
したがって、自動的に蒸気抜き部を開放させることができ、楽に使用することができる。
（３）前記（１）により、蓋の蒸気抜き部を覆うように開閉ラベルを貼着しているので、安全な食品であるという安心感を与えることができる。
（４）前記（１）により、蓋の蒸気抜き部を覆うように開閉ラベルを貼着するだけでよいので、容易に実施することができる。
（５）請求項２も前記（１）〜（４）と同様な効果が得られるとともに、巻き付くようにして開閉ラベルを開放できる。
したがって、きれいに開閉ラベルを開放することができる。
（６）請求項３も前記（１）〜（４）と同様な効果が得られるとともに、接着力が弱い所より、容易に開閉ラベルを開放することができる。
（７）請求項４も前記（１）〜（４）と同様な効果が得られるとともに、開閉ラベルが蒸気抜き部の作動をじゃましたりするのを確実に阻止することができ、正確に蒸気抜き部を作動させることができる。
【図面の簡単な説明】
【０００８】
【図１】本発明を実施するための第１の形態の平面図。
【図２】図１の２−２線に沿う断面図。
【図３】本発明を実施するための第１の形態の分解斜視図。
【図４】本発明を実施するための第１の形態の開閉ラベルの説明図。
【図５】本発明を実施するための第１の形態の電子レンジで加熱する状態の説明図。
【図６】本発明を実施するための第１の形態の加熱された開閉ラベルが開放した状態の説明図。
【図７】本発明を実施するための第２の形態の平面図。
【図８】図７の８−８線に沿う断面図。
【図９】本発明を実施するための第２の形態の分解斜視図。
【図１０】本発明を実施するための第３の形態の平面図。
【図１１】図１０の１１−１１線に沿う断面図。
【図１２】本発明を実施するための第３の形態の分解斜視図。
【図１３】本発明を実施するための第４の形態の平面図。
【図１４】図１３の１４−１４線に沿う断面図。
【図１５】本発明を実施するための第４の形態の分解斜視図。
【図１６】本発明を実施するための第５の形態の平面図。
【図１７】図１６の１７−１７線に沿う断面図。
【図１８】本発明を実施するための第５の形態の開閉ラベルの説明図。
【発明を実施するための形態】
【０００９】
以下、図面に示す本発明を実施するための形態により、本発明を詳細に説明する。
【００１０】
図１ないし図６に示す本発明を実施するための第１の形態において、１は本発明の電子レンジで加熱することができる弁当、そば、惣菜等の食品２を包装する電子レンジ用食品容器で、この電子レンジ用食品容器１は電子レンジで加熱することができる食品２が収納される開口端部３の内側に蓋嵌合凹部４が形成されたドンブリ状の円形状の容器本体５と、この容器本体５の蓋嵌合凹部４と嵌合固定される嵌合部６が外周部に形成された透明材製の蓋７と、この蓋７の上面に形成した凹部８の底面にＵ字状の切り欠きの蒸気抜き部９と、この蒸気抜き部９が形成された凹部８を上面より覆うように貼着された開閉ラベル１０とで構成されている。
【００１１】
前記開閉ラベル１０は前記凹部８を覆えるように貼着固定される接着剤１１が塗布された、熱を加えると収縮するポリエステル、ポリエチレン、ポリ乳酸系重合体等の熱収縮フィルム１２と、この熱収縮フォルム１２の上面に貼着固定されたポリプロピレン、ポリエステル等の熱を加えても収縮しない非熱収縮フィルム１３とで構成されている。
【００１２】
上記構成の電子レンジ用食品容器１は電子レンジで加熱することができる食品２を容器本体５内に収納し、蓋嵌合凹部４に蒸気抜き部９を開閉ラベル１０で覆われている蓋７の嵌合部６を嵌合させ、容器本体５を密封状態にする。
【００１３】
しかる後、容器本体５と蓋７とをテープ１４、１４で外れないようにして、積み重ねたりして展示販売する。
【００１４】
次に食する場合には、電子レンジ１５内にそのまま入れて、加熱することにより開閉ラベル１０が加熱され、熱収縮フィルム１２が自動的に蓋７に接着剤１１で接着している接着力よりも大きな力で収縮して、端部より巻き取られる状態となり、凹部８を開放する。      
【００１５】
このため、蒸気抜き部９より外方へ出てくる蒸気を、凹部８を介して外方へ排出することができる。
【００１６】
すなわち、食品２を収納し、蓋７で容器本体５を閉じると、蓋７に蒸気抜き部９が形成されていても、開閉ラベル１０で覆われているため密封状態となり、電子レンジ１５で加熱すると自動的に開閉ラベル１０が開放して、蒸気抜き部９より容器本体５内で発生する蒸気を外部へ排出することができる。    
【００１７】
[発明を実施するための異なる形態]
次に、図７ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図７ないし図９に示す本発明を実施するための第２の形態において、前記本発明を実施するための第１の形態と主に異なる点は、浅皿状の四角形状の容器本体５Ａと、この容器本体５Ａの外周部の蓋嵌合凹部４Ａと嵌合する嵌合部６Ａが外周部に形成され、かつ上部中央部を除く部位の外周部に容器本体５Ａの底面が入り込む支持突片１６、１６および中央部を除く上面に、内部に蒸気抜き部９が形成された開閉ラベル１０で覆われた凹部８を有する蓋７Ａと、前記容器本体５Ａに蓋７Ａを嵌合させた後に、該容器本体５Ａと蓋７Ａとを一体化するための熱収縮リング１７とを用いた点で、このように構成した電子レンジ用食品容器１Ａにしても、前記本発明を実施するための第１の形態と同様な作用効果が得られる。
【００１９】
図１０ないし図１２に示す本発明を実施するための第３の形態において、前記本発明を実施するための第１の形態と主に異なる点は、透孔１８で形成した蒸気抜き部９Ａを蓋７Ｂに設けた点で、このような蒸気抜き部９Ａを蓋７Ｂに形成したものを用いて構成した電子レンジ用食品容器１Ｂにしても、前記本発明を実施するための第１の形態と同様な作用効果が得られる。
【００２０】
図１３ないし図１５に示す本発明を実施するための第４の形態において、前記本発明を実施するための第３の形態と主に異なる点は、透孔の蒸気抜き部９Ａを形成し、該蒸気抜き部９Ａを上面あるいは内側面、本発明の実施の形態では上面より開閉ラベル１０で覆った蓋７Ｃを用いた点で、このような蓋７Ｃを用いて構成した電子レンジ用食品容器１Ｃにしても、前記本発明を実施するための第３の形態と同様な作用効果が得られる。
【００２１】
図１６ないし図１８に示す本発明を実施するための第５の形態において、前記本発明を実施するための第１の形態と主に異なる点は、熱収縮フィルム１２と、この熱収縮フィルム１２の蓋７の蒸気抜き部９周囲の上面と貼着される面に形成された一端部側が弱い接着力の接着剤１９で、他端部側が強い接着力の接着剤２０で形成された接着面２１とで構成した開閉ラベル１０Ａを用いた点で、このような開閉ラベル１０Ａを用いた電子レンジ用食品容器１Ｄにしても、前記本発明を実施するための第１の実施の形態と同様、電子レンジで加熱されると開閉ラベル１０Ａの熱収縮フィルム１２が収縮して、弱い接着力の接着剤１９部分が蓋７より外れて開放状態となり、外部へ蒸気を排出することができる。
なお、前記本発明の各実施の形態では開閉ラベル１０、１０Ａを蒸気抜き部９、９Ａの上面の部位の蓋７、７Ａ、７Ｂ、７Ｃに接着固定したものについて説明したが、本発明はこれに限らず、蒸気抜き部９、９Ａの内側面の部位の蓋７、７Ａ、７Ｂ、７Ｃに開閉ラベル１０、１０Ａを接着固定しても良い。
【００２２】
また、前記本発明の実施の形態では凹部８の底面に切り欠きの蒸気抜き部９、９Ａを形成したものについて説明したが、本発明はこれに限らず、凹部８の周壁面切り欠きの蒸気抜き部９、９Ａを形成しても良い。
【産業上の利用可能性】
【００２３】
本発明はスーパー、コンビニエンスストアー等で販売される、電子レンジで加熱することができる弁当、そば、惣菜等を包装する電子レンジ用食品容器を製造する産業で利用される。
【符号の説明】
【００２４】
１、１Ａ、１Ｂ、１Ｃ、１Ｄ：電子レンジ用食品容器、
２：電子レンジで加熱することができる食品、
３：開口端部、      ４、４Ａ：蓋嵌合凹部、
５、５Ａ：容器本体、    ６、６Ａ：嵌合部、
７、７Ａ、７Ｂ、７Ｃ：蓋、  ８：凹部、
９、９Ａ：蒸気抜き部、    １０、１０Ａ：開閉ラベル、
１１：接着剤、      １２：熱収縮フィルム、
１３：非熱収縮フィルム、    １４：テープ、
１５：電子レンジ、      １６：支持突片、
１７：熱収縮リング、    １８：透孔、
１９：弱い接着力の接着剤、  ２０：強い接着力の接着剤、
２１：接着面。
【図１】
2014091543.tif 000003
【図２】
2014091543.tif 000004
【図３】
2014091543.tif 000005
【図４】
2014091543.tif 000006
【図５】
2014091543.tif 000007
【図６】
2014091543.tif 000008
【図７】
2014091543.tif 000009
【図８】
2014091543.tif 000010
【図９】
2014091543.tif 000011
【図１０】
2014091543.tif 000012
【図１１】
2014091543.tif 000013
【図１２】
2014091543.tif 000014
【図１３】
2014091543.tif 000015
【図１４】
2014091543.tif 000016
【図１５】
2014091543.tif 000017
【図１６】
2014091543.tif 000018
【図１７】
2014091543.tif 000019
【図１８】
2014091543.tif 000020